(57)【特許請求の範囲】
【請求項１】
射出ユニット移動用モータ（１７）により、送りネジ（１２）を回転して該ネジ（１２）に螺合されている可動ナット（１３）を移動し、該ナット（１３）の移動により圧縮バネ（２３）を介して射出ユニット（２）を前進し、射出ノズル（５）を金型（３）に圧接させてノズルタッチ力を発生させる方法において、射出ノズル（５）が金型（３）にタッチした後の圧縮バネ（２３）が基準値として規定しておいたたわみ量に達したことをセンサー（１９）で検出し、その後、設定されたタイマー（１８ａ）の経過後に送りネジ（１２）の回転を停止させることで、ノズルタッチ力をタイマー（１８ａ）の設定により可変としたことを特徴とする射出成形機のノズルタッチ力調整方法。
【請求項２】
射出ユニット移動用モータ（１７）により、送りネジ（１２）を回転して該ネジ（１２）に螺合されている可動ナット（１３）を移動し、該ナット（１３）の移動により圧縮バネ（２３）を介して射出ユニット（２）を移動し、射出ノズル（５）を金型（３）に圧接させてノズルタッチ力を発生させる方法において、射出ノズル（５）が金型（３）にタッチした後の圧縮バネ（２３）が基準値として規定しておいたたわみ量に達したことをセンサー（１９）で検出し、その後、送りネジ（１２）を逆転させて設定されたタイマー（１８ａ）の経過後に送りネジ（１２）の回転を停止させることで、ノズルタッチ力をタイマー（１８ａ）の設定により可変としたことを特徴とする射出成形機のノズルタッチ力調整方法。
【発明の詳細な説明】
【０００１】
【発明の属する技術分野】
本発明は、射出成形機において、射出ユニットを移動して射出ノズルを金型に圧接させる際のノズルタッチ力を調整する方法に関するものである。
【０００２】
【従来の技術】
従来、射出ノズルを、モータにより圧縮バネを介して射出ユニットを前進して金型に圧接させる場合、射出ユニットを圧縮バネが所定量たわんだ位置で保持することによってノズルタッチ力を発生させていた。
【０００３】
【発明が解決しようとする課題】
従来の方法では、ノズルタッチ力を変化させたい場合、センサーの位置を動かすことによって圧縮バネのたわみ量を変える必要がある。そのため、タッチ力の調整に時間がかかり、タッチ力の強さを再現させることが難しいという問題があった。
【０００４】
本発明は、ノズルタッチ力をセンサーを移動させることなく変化させることができる射出成形機のノズルタッチ力調整方法を提供することを課題とする。
【０００５】
【課題を解決するための手段】
本発明は、上記課題を次のようにして解決した。すなわち、射出ユニット移動用モータにより、送りネジを回転して可動ナットを移動し、圧縮バネを介して射出ユニットを前進し、射出ノズルが金型にタッチした後の圧縮バネが基準値として規定しておいたたわみ量に達したことをセンサーで検出し、その後、設定されたタイマーの経過後に送りネジの回転を停止させることで、ノズルタッチ力をタイマーの設定により可変とした。
【０００６】
なお、射出ノズルが金型にタッチした後の圧縮バネが基準値として規定しておいたたわみ量に達したことをセンサーで検出し、その後、送りネジを逆転させて設定されたタイマーの経過後に送りネジの回転を停止させることで、ノズルタッチ力をタイマーの設定により可変としてもよい。
【０００７】
これにより、本発明では、ノズルタッチ力を調整する際に、従来のようにセンサーを移動させることなく、所定のたわみ量をセンサーが検出した後、設定タイマー分遅れて送りネジの回転を停止させるのみでよいので、ノズルタッチ力の調整が容易となる
【０００８】
【発明の実施の形態】
以下、本発明の実施の形態を実施例に基づき図面を参照して説明する。図１は本発明による射出成形機のノズルタッチ力調整方法の実施に使用するノズルタッチ装置の全体構成図である。
【０００９】
同図に示すように、射出成形機は、射出ノズル５、射出シリンダ６等からなる射出ユニット２と、金型３、固定プラテン４等からなる型締ユニット１と、前記射出ユニット２の射出ノズル５を金型３に対してタッチさせる方向と離間する方向とに駆動すると共に前記射出ノズル５を所定のタッチ力で前記金型３に当接保持するノズルタッチ装置１０とを備えている。
【００１０】
前記ノズルタッチ装置１０は、固定プラテン４の下部に取り付けられた支持装置１１に一端が回転可能かつ軸方向移動不能に軸受けされ、射出ユニット２の下部に取り付けられたブラケット２５と後述するプレート２１の貫通穴２６，２７を通り、射出ユニット２の下部の図示していない機台に取り付けられた支持装置１１ａに他端が回転可能かつ軸方向移動不能に軸受けされている送りネジ１２と、送りネジ１２に螺合している可動ナット１３と、可動ナット１３を固定しているプレート２０と、プレート２０に一端が固定されブラケット２５の貫通穴２４を通り、他端がプレート２１に固定されている２本のジク２２と、ブラケット２５とプレート２１間にジク２２にガイドされた状態で挿入されている圧縮バネ２３とを備えている。
【００１１】
前記送りネジ１２は、その支持装置１１側に固定されているギヤ１４を、モータ１７によりギヤ１５を介して駆動することによって回転される。モータ１７は、ブレーキ１６により、停止時は回転しないよう保持される。
【００１２】
前記圧縮バネ２３のたわみ量を検出するセンサー１９がジク２２に対して直角方向にブラケット２５に支持されて設けられている。このセンサー１９の信号は制御装置１８に入力され、制御装置１８はモータ１７およびブレーキ１６を駆動する。なお、制御装置１８にはタイマー１８ａが設けられている。
【００１３】
次に、上述したノズルタッチ装置１０の動作について説明する。
【００１４】
モータ１７のブレーキ１６を解放し、モータ１７を回転させるとギヤ１５，１４により送りネジ１２が回転し、可動ナット１３と共に射出ユニット２が移動する。射出ノズル５が金型３にタッチし、さらにモータ１７を回転させると、射出ユニット２とブラケット２５は停止し、可動ナット１３、プレート２０、ジク２２、プレート２１が一体となって前進するため、圧縮バネ２３が圧縮され、この反力により射出ノズル５は金型３に押し付けられる。
【００１５】
前記ブラケット２５の停止にともないセンサー１９の移動も停止する。このセンサー１９により、プレート２１の位置を検出し、その時点での圧縮バネ２３のたわみ量を検出する。なお、このたわみ量は基準値で、予めセンサー１９の位置を調整して定められている。
【００１６】
圧縮バネ２３のたわみ量をセンサー１９で検出した後、制御装置１８のタイマー１８ａ経過後、モータ１７を停止しブレーキ１６を作動させることにより、所定のノズルタッチ力が発生する。
【００１７】
射出ノズル５の押し付け力を変化させたい場合は、制御装置１８のタイマー１８ａの設定を変えて圧縮バネ２３のたわみ量を調整する。
【００１８】
上記実施例では、射出ノズル５が金型３にタッチした後の圧縮バネ２３のたわみ量をセンサー１９で検出し、その後、設定されたタイマー１８ａの経過後に送りネジ１２の回転を停止させることで、ノズルタッチ力をタイマー１８ａの設定により可変としているが、射出ノズル５が金型３にタッチした後の圧縮バネ２３のたわみ量をセンサー１９で検出し、その後、送りネジ１２を逆転させて設定されたタイマー１８ａの経過後に送りネジ１２の回転を停止させることで、ノズルタッチ力をタイマー１８ａの設定により可変としてもよい。
【００１９】
【発明の効果】
本発明は、以上説明したように構成されているので、次のような効果を得ることができる。すなわち、ノズルタッチ力を変化させたい場合は、センサーの位置を動かさず、タイマーでバネのたわみ量を変えるだけであるので、タッチ力の調整が簡単にでき、タッチ力の強さを再現させることが容易となる。
【図面の簡単な説明】
【図１】本発明による射出成形機のノズルタッチ力調整方法の実施に使用するノズルタッチ装置の全体構成図である。
【符号の説明】
１  型締ユニット
２  射出ユニット
３  金型
４  固定プラテン
５  射出ノズル
６  射出シリンダ
１０  ノズルタッチ装置
１１、１１ａ  支持装置
１２  送りネジ
１３  可動ナット
１４、１５  ギャ
１６  ブレーキ
１７  モータ
１８  制御装置
１８ａ  タイマー
１９  センサー
２０、２１  プレート
２２  ジク
２３  バネ
２４、２６、２７  貫通穴
２５  ブラケット
【図１】
0003854725.tif 000002